(57)【要約】【課題】気泡の除去を効率よく行う。【解決手段】輸液チューブ１を通す通路２を有し輸液チューブ１に沿って移動可能な本体３と、本体３に取り付けられたしごき部材４と、しごき部材４を通路２内に進出させるスライド手段５を備え、しごき部材４が通路２に進出した状態で本体３が輸液チューブ１に沿って移動すると、しごき部材４が輸液チューブ１内の気泡６を移動させるものである。【選択図】　　　　図１
2004033545.tif 000002
【特許請求の範囲】
【請求項１】
輸液チューブを通す通路を有し前記輸液チューブに沿って移動可能な本体と、前記本体に取り付けられたしごき部材と、前記しごき部材を前記通路内に進出させるスライド手段を備え、前記しごき部材が前記通路に進出した状態で前記本体が輸液チューブに沿って移動すると、前記しごき部材が前記輸液チューブ内の気泡を移動させることを特徴とする輸液チューブのエア抜きクランプ。
【請求項２】
前記しごき部材は一対のローラであり、前記一対のローラは前記通路を挟んで対向していることを特徴とする請求項１記載の輸液チューブのエア抜きクランプ。
【請求項３】
輸液速度を調整するクレンメと一体化されたことを特徴とする請求項１又は２記載の輸液チューブのエア抜きクランプ。
【発明の詳細な説明】
【０００１】
【発明の属する技術分野】
本発明は、輸液チューブのエア抜きクランプに関する。さらに詳しくは、本発明は、輸液セットの輸液チューブ内に混入した気泡を除去する輸液チューブのエア抜きクランプに関するものである。
【０００２】
【従来の技術】
医療行為の一つとして輸液がある。輸液では、高所に吊した輸液バッグ内の液体を重力を利用して患者の血管内に少しずつ注入する。輸液バッグ内の液体は輸液チューブ内を流下し、注射針から患者の血管内に導かれる。輸液チューブの途中にはクレンメが取り付けられており、輸液チューブの潰し量を変えることで流路面積を変化させ、輸液の速さを調整している。
【０００３】
輸液チューブ内には気泡が混入することがあり、この気泡が患者の血管内に混入しないようにする必要がある。このため、輸液注入系（チューブ）の途中に空気溜まりのような気泡除去具を設けて、輸液注入系に気泡が侵入した場合に、気泡自体の浮力を利用して気泡除去具まで上昇させ、系外に排出する装置（実開昭６２−６６６５１号）などが提案されている。しかし、チューブ内ではチューブ内壁面に気泡が付着して自発的に上昇することは少ないので、一般的には看護師等が輸液チューブを指で軽く弾くことで気泡を上昇させ、直接輸液バッグ内に戻すようにしていた。
【０００４】
【発明が解決しようとする課題】
しかしながら、看護師等が輸液チューブを指で軽く弾いて気泡を除去する方法は、衝撃によって気泡をチューブ内の流れに逆らって上昇させるものであり、なかなか思うように気泡を上昇させることができず、効率的なものではなかった。
【０００５】
本発明は、気泡の除去を効率よく行うことができる輸液チューブのエア抜きクランプを提供することを目的とする。
【０００６】
【課題を解決するための手段】
かかる目的を達成するために請求項１記載の輸液チューブのエア抜きクランプは、輸液チューブを通す通路を有し輸液チューブに沿って移動可能な本体と、本体に取り付けられたしごき部材と、しごき部材を通路内に進出させるスライド手段を備え、しごき部材が通路に進出した状態で本体が輸液チューブに沿って移動すると、しごき部材が輸液チューブ内の気泡を移動させるものである。
【０００７】
しごき部材をスライド手段によって通路に向けて進出させると、輸液チューブが潰れ内部の流路面積が減少する。この状態で本体を輸液チューブに沿って移動させると、輸液チューブの潰れた部分も移動し、輸液チューブ内の気泡を強制的に移動させる。即ち、しごき部材によって輸液チューブをしごきながら気泡を移動させる。本体を輸液チューブの上流に向けて動かすことで、輸液チューブ内の気泡を輸液バッグ内に送り出すことができる。
【０００８】
また、請求項２記載の輸液チューブのエア抜きクランプは、しごき部材は一対のローラであり、一対のローラは通路を挟んで対向している。
【０００９】
したがって、一対のローラで輸液チューブをしごきながら気泡を送り出すことができる。一対のローラは回転しながら輸液チューブをしごくので、本体を移動させるのに必要な力が減少する。
【００１０】
さらに、請求項３記載のエア抜きクランプは、輸液速度を調整するクレンメと一体化されたものである。
【００１１】
輸血や点滴等を行う輸液セットには輸液速度を調整するクレンメが設けられている。クレンメは輸液チューブを潰して流路面積を変化させるものであり、エア抜きクランプと構造的に類似し、エア抜きクランプと一体化するのに適している。クレンメとエア抜きクランプを一体化させることで、輸液セットの構成要素の数の増加を抑える。
【００１２】
【発明の実施の形態】
以下、本発明の構成を図面に示す最良の形態に基づいて詳細に説明する。
【００１３】
図１〜図５に、本発明を適用した輸液チューブのエア抜きクランプの実施形態の一例を示す。輸液チューブのエア抜きクランプ（以下、単にエア抜きクランプという）は、輸液チューブ１を通す通路２を有し輸液チューブ１に沿って移動可能な本体３と、本体３に取り付けられたしごき部材４と、しごき部材４を通路２内に進出させるスライド手段５を備え、しごき部材４が通路２に進出した状態で本体３が輸液チューブ１に沿って移動すると、しごき部材４が輸液チューブ１内の気泡６を移動させるものである。
【００１４】
本体３は、例えば２枚のケース３ａ，３ｂを合わせると共にキャップ１０を嵌め込んだもので、中央に輸液チューブ１を通す通路２が設けられている。この通路２は各ケース３ａ，３ｂを長手方向に貫通している。なお、一方のケース３ａには爪１１が複数設けられており、各爪１１を他方のケース３ｂに引っ掛けることで、２枚のケース３ａ，３ｂを外れないようにしっかりと組み合わせている。また、ケース３ａ，３ｂの内側面は適宜肉抜きされている。
【００１５】
しごき部材４は、通路２の上流側、即ち図示しない輸液バッグ側の入口７付近に設けられている。しごき部材４は一対のローラ（以下、ローラ４という）であり、ローラ４，４は通路２を挟んで対向している。ローラ４，４は、スライド手段５によって移動可能になっている。しごき部材としてのローラ４は、例えば両側にフランジ４ｂを有しており、一対のローラ４，４を接近させたときに、ローラ面とフランジ４ｂによりチューブ１を囲繞し得るように配慮されている。
【００１６】
スライド手段５は例えば溝であり、左右のケース３ａ，３ｂにそれぞれ設けられている。各ローラ４の回転軸４ａを左右のケース３ａ，３ｂのスライド手段５に挿入することで、各ローラ４を本体３に対して移動させることができる。スライド手段５は、ローラ４，４を通路２内に進出させるしごき部５ａと、ローラ４，４を通路２から退避させる退避部５ｂより構成されている。退避部５ｂは、通路２に対して、入口７側の端が通路２から離れるように傾斜している。
【００１７】
なお、本体３を構成する左右のケース３ａ，３ｂにはクレンメ用の長溝８がそれぞれ形成されており、各長溝８にクレンメ用のローラ９の回転軸９ａを挿入することで、本体３に対してローラ９を移動可能に取り付けている。各長溝８は、ローラ９を通路２内に進出させる直線部８ａと、ローラ９の通路２内への進出量を変化させると共にローラ９を通路２から退避させる傾斜部８ｂより構成されている。ローラ９を各長溝８に沿って移動させることで、ローラ９が通路２内の輸液チューブ１を通路底部２ａとの間で潰す量を変えることができ、輸液チューブ１内の流路面積を変化させて輸液速度を調整することができる。即ち、このエア抜きクランプは輸液速度を調整するクレンメと一体化されている。尚、ローラ９の外周面には滑り止めの細かい凹凸（ローレット）が設けられている。
【００１８】
エア抜きクランプを使用して輸液チューブ１内の気泡６（図５参照）を除去するには、先ず、一対のローラ４，４を手で本体３内へ押し込んで回転軸４ａをスライド手段５のしごき部５ａに移動させる。これにより、図１中二点鎖線で示すように、ローラ４，４が通路２に進出し、輸液チューブ１を一対のローラ４，４の間で挟み付けて潰し、チューブ内部の流路面積を減少させる。この状態で本体３を輸液チューブ１に沿って上流（図中上方向）に向けて移動させると、輸液チューブ１の潰される部分も移動し、輸液チューブ１内の気泡６を送り出す。即ち、ローラ４，４は回転しながら輸液チューブ１をしごき、輸液チューブ１内の気泡６を上流側に送り出す。
【００１９】
本体３を輸液チューブ１の上流に向けて動かすことで、輸液チューブ１内の気泡６を輸液バッグ内に送り出すことができる。本体３を輸液チューブ１の上流に向けて動かすと、ローラ４，４と輸液チューブ１の間に発生する摩擦力はローラ４，４に下流側に向かう力として作用する。このため、ローラ４，４がスライド手段５のしごき部５ａから外れることはない。即ち、ローラ４，４を手で強く押さえ続けなくても、ローラ４，４がしごき部５ａから外れることはない。このため、本体３を上流側に向けて動かすだけで、輸液チューブ１をしごいて気泡６を除去することができる。輸液チューブ１をしごきながら気泡６を送り出すので、いわば強制的に気泡６を移動させることができ、気泡６の除去を効率よく行うことができる。また、ローラ４，４は回転するので、輸液チューブ１をしごくために必要な力が小さくなる。
【００２０】
本体３を反対方向、即ち下流側に向けて移動させると、ローラ４，４と輸液チューブ１の間に発生する摩擦力がローラ４，４に上流側に向かう力として作用する。このため、ローラ４，４が退避部５ｂにスライドして輸液チューブ１の挟み付けを解除する。即ち、気泡６を送り出しながら輸液バッグの近くまで移動させた本体３を元の位置に戻す場合には、ローラ４，４が輸液チューブ１をしごくことはなく、せっかく輸液バッグ側に移動させた気泡６を患者側に戻してしまうことはない。また、軽い力で本体３を戻すことができる。
【００２１】
このエア抜きクランプは、輸液速度を調整するクレンメと一体化されているので、輸液セットを構成する部品点数を増加させることはない。このため、エア抜きクランプを新たに設けても、コストの増加を抑えることができる。また、エア抜きクランプとクレンメとは輸液チューブ１を潰して流路面積を変化させるという点で類似の構造を成しており、一体化するのに適している。
【００２２】
なお、上述の形態は本発明の好適な形態の一例ではあるがこれに限定されるものではなく本発明の要旨を逸脱しない範囲において種々変形実施可能である。例えば、上述の説明では、しごき部材４を一対のローラによって構成していたが、必ずしも一対のローラに限るものではない。
【００２３】
また、上述の説明では、エア抜きクランプをクレンメと一体化させていたが、エア抜きクランプをクレンメと別体にしても良い。
【００２４】
【発明の効果】
以上説明したように請求項１記載の輸液チューブのエア抜きクランプでは、輸液チューブを通す通路を有し輸液チューブに沿って移動可能な本体と、本体に取り付けられたしごき部材と、しごき部材を通路内に進出させるスライド手段を備え、しごき部材が通路に進出した状態で本体が輸液チューブに沿って移動すると、しごき部材が輸液チューブ内の気泡を移動させるので、輸液チューブ内の気泡を効率よく除去することができる。
【００２５】
また、請求項２記載の輸液チューブのエア抜きクランプでは、しごき部材は一対のローラであり、一対のローラは通路を挟んで対向しているので、しごき部材と輸液チューブとの間に生じる摩擦力を減少させることができ、本体を小さな力で移動させることができる。
【００２６】
さらに、請求項３記載のエア抜きクランプでは、輸液速度を調整するクレンメと一体化しているので、輸液セットの構成要素の数を増やさずに、エア抜きクランプを設けることができる。
【図面の簡単な説明】
【図１】本発明を適用した輸液チューブのエア抜きクランプの実施形態の一例を示す正面図である。
【図２】同エア抜きクランプの側面図である。
【図３】同エア抜きクランプの本体を構成する一方のケースの内側面を示す図である。
【図４】同エア抜きクランプの中央付近（分割面を除く）の縦断面図である。
【図５】同エア抜きクランプを使用して輸液チューブ内の気泡を除去している様子を示す図である。
【符号の説明】
１　輸液チューブ
２　通路
３　本体
４　ローラ（しごき部材）
５　スライド手段
６　気泡
【図１】
2004033545.tif 000003
【図２】
2004033545.tif 000004
【図３】
2004033545.tif 000005
【図４】
2004033545.tif 000006
【図５】
2004033545.tif 000007